(57)【特許請求の範囲】
【請求項１】
上端部に吊下げ用の穴を設けた商品を、前記穴にフックを通して吊下げる商品吊下げ用台紙であって、
商品を吊下げるための吊下げ片と、商品の上端部を上から押さえるための押え片からなる商品吊下げ部を有し、
前記吊下げ片は、下方が閉じた切込みにより形成された押込み部と、該押込み部の上部に位置し、前記フックとして機能する、上向きに凸形状の切込みにより形成された突起部とを有し、前記押込み部を押し込むことで前記突起部が起き上がる構造を有しており、
前記押え片は、前記吊下げ片の上方を起点として下方が閉じた切込みにより形成されており、前記吊下げ片とは独立して台紙の前方に引き起こされる構造を有している、
ことを特徴とする商品吊下げ用台紙。
【発明の詳細な説明】
【０００１】
【発明の属する技術分野】
本発明は、比較的軽量な袋入り若しくは箱入り商品を吊下げて陳列するための商品吊下げ用台紙に関する。
【０００２】
【従来の技術】
比較的軽量な袋入り若しくは箱入り商品を吊下げる商品吊下げ用台紙として、例えば実開昭６１−１１８４６３号、実開平１−１３１３６５号公報記載のようなものが従来から知られている。これらの公報に記載されたものは、台紙に商品吊下げ手段として略Ｗ字状の切込みを設けたものであって、その略Ｗ字状の切込みにより囲まれた舌状部を前方に浮かせ、その舌状部の内側に商品の上端部を差し込んで、切込みの下部中央に形成される上向きの凸形部分に商品の吊下げ用穴を引っ掛けるようにしている。
【０００３】
しかしながら、上記のような商品吊下げ用台紙では、商品の吊下げ用穴に台紙の凸形部分を引っ掛けるためには通常はこの凸形部分を台紙面の前方に倒さなければならず、そのために凸形部分が折れて弱くなってしまうことが多く、商品の取り付け取り外しを何度か繰り返えすと、商品を保持できなくなったり外れ易い状態になるといった問題があった。
【０００４】
また、特開平８−２２８８９８号公報には上記のような問題を解決するために、図９に示すような商品吊下げ用台紙が提案されている。
【０００５】
かかる商品吊下げ用台紙８１は、上方に凸形をなすフック形成用の第１の切り込み８５と、上方に凹形をなし第１の切り込み８５の側方および下方を取り囲んでフック持ち上げ舌片９０および商品押え舌片９１を形成する第２の切り込み８６とで構成した商品吊下げ部８４を有するものである。
【０００６】
この商品吊下げ用台紙８１に商品を取り付けるには、商品吊下げ部８４を台紙裏側から押してフック持ち上げ舌片９０を前方から摘み、そのフック持ち上げ舌片９０を谷折り用罫線８９で谷折りしつつ前方に折り曲げてフック８７を後方に寝かせ、次いで、フック持ち上げ舌片９０を前方に引いて商品押え舌片９１を谷折り用罫線８８で谷折りしつつ前方に傾けてフック８７の先端を台紙面の前方に浮かせる。そして、フック８７と台紙面との間に商品９２の上端部を挿入し、商品９２の吊下げ用の穴９３にフックを差し込む。そして、フック持ち上げ舌片９０を押し戻し、商品押え舌片９１によって商品９２の上端部を挟み込むように押さえるものである。
【０００７】
【発明が解決しようとする課題】
しかしながら、特開平８−２２８８９８号公報に記載のものは、フック持ち上げ舌片９０と商品押え舌片９１が切り込み８６内に併存し谷折り用罫線８９で連接して形成されているため、商品の吊下げ時に商品押え舌片９１にまで直接負荷がかかり、商品の上端部を上から効果的に押さえることができず、輸送途中等における商品の脱落が危惧される。
【０００８】
本発明は、上記事情に鑑み、商品の取り付け取り外しを容易に行えると共に、より確実に商品を保持することができる商品吊下げ用台紙を提供することを目的とする。
【０００９】
【課題を解決するための手段】
上記の目的を達成すべく成された本発明は、上端部に吊下げ用の穴を設けた商品を、前記穴にフックを通して吊下げる商品吊下げ用台紙であって、商品を吊下げるための吊下げ片と、商品の上端部を上から押さえるための押え片からなる商品吊下げ部を有し、前記吊下げ片は、下方が閉じた切込みにより形成された押込み部と、該押込み部の上部に位置し、前記フックとして機能する、上向きに凸形状の切込みにより形成された突起部とを有し、前記押込み部を押し込むことで前記突起部が起き上がる構造を有しており、前記押え片は、前記吊下げ片の上方を起点として下方が閉じた切込みにより形成されており、前記吊下げ片とは独立して台紙の前方に引き起こされる構造を有している、ことを特徴としているものである。
【００１１】
【発明の実施の形態】
本発明の商品吊下げ用台紙は、例えば商品をプラスチックのシート材からなる袋に収納した包装体を多数吊下げるようにしたものであって、通常は縦長のコート紙等からなる。
【００１２】
以下、図面を参照して本発明の実施形態例を説明するが、本発明はかかる例に限定されるものではない。
【００１３】
図１は、本発明の商品吊下げ用台紙の一例を示す表面全体図である。この商品吊下げ用台紙１には、左右２列、各列４段の配列で計８つの商品吊下げ部１０が設けられており、また、上端部には吊下げ用の紐などを通す一対の穴２が設けられている。尚、図１において２０は商品（包装体）であり、その上端部には吊下げ用の穴２１が設けられている。
【００１４】
各商品吊下げ部１０は、図２に拡大して示すように、商品を吊下げるための吊下げ片１１と、商品の上端部を上から押さえるための押え片１２で構成されている。
【００１５】
吊下げ片１１は、押込み部１３と、この押込み部１３の上部中央に上向きに凸形状に形成された突起部１４を有している。そして、押込み部１３は、上方に開いた第１の切込み１５と、この第１の切込み１５の両端から水平に延びる２本の山折り用罫線１６とによって囲まれた領域からなり、突起部１４は、２本の山折り用罫線１６に連続する第２の切込み１７で形成されている。このため、押込み部１３を台紙１の後方に押し込むと、突起部１４が台紙１の前方に起き上がる構造となっている。
【００１６】
また、押え片１２は、第２の切込み１７の両端に連続して上方に延びる２本の第３の切込み１８と、この第３の切り込み１８の上端を水平に結び突起部１４の上部に位置する谷折り用罫線１９とで形成されており、吊下げ片１１とは完全に分離されている。このため、押え片１２は、谷折り用罫線１９で谷折りすることにより吊下げ片１１とは独立して台紙１の前方に引き起こすことができる構造となっている。
【００１７】
次に、上記構成を有する本発明の商品吊下げ用台紙への商品の取り付け手順を図３を用いて説明する。
【００１８】
商品２０を台紙１に取り付けるには、まず、空いている商品吊下げ部１０の押込み部１３を台紙表面から後方に押し込み、図３（ａ）に示すように、突起部１４を台紙１の前方に引き起こすと共に、押え片１２を台紙裏面から台紙１の前方に若干立ち上げる。そして、押込み部１３を更に押し込み、図３（ｂ）に示すように突起部１４を寝かせた状態にして、突起部１４と押え片１２との間に商品２０の上端部を所定の位置まで挿入する。そして、押え片１２を元の状態に戻し商品２０の吊下げ用の穴２１に突起部１４を差し込むと共に、押え片１２によって商品２０の上端部を挟み込むように押える。
【００１９】
図４は台紙１に商品を取付けた状態を台紙表面から見た部分拡大図、図５は同じく台紙１に商品を取付けた状態を台紙裏面から見た部分拡大図である。
【００２０】
このように本発明の商品吊下げ用台紙は、吊下げ片１１と押え片１２が完全に分離した構造を有するため、商品を取付けた状態において押え片１２に商品の荷重がかからない。そのため、商品を取付けた際に押え片１２が浮き上がる心配が少なく、商品の上端部を効果的に押さえることができ、より確実に商品を保持することができると共に、見栄え良く商品を陳列することができる。
【００２１】
また、本発明の商品吊下げ用台紙から商品を取り外すには、商品２０を若干下方に引っ張り突起部１４を台紙１の前方に引き起こし、更に突起部１４を寝かせた状態にして商品２０を下方に引き出すことで、比較的容易に商品２０を取り外すことができる。
【００２２】
このように本発明の商品吊下げ用台紙の商品吊下げ部１０は、基本的に吊下げ片１１の上方に押え片１２を分離して設け、押込み部１３を押し込むことで突起部１４が起き上がる基本的な構造を有していれば、商品の上端部を効果的に押さえることができると共に、商品の取り付け取り外しも比較的簡単に行うことができる。また、上記の例のように、押込み部１３を第１の切込み１５と山折り用罫線１６とで形成し、突起部１４を山折り用罫線１６に連続させた第２の切込み１７で形成し、押え片１２を第２の切込み１７に連続させた第３の切込み１８と突起部１４の上部に位置する谷折り用罫線１９とで形成することにより、コンパクトで且つ強度的にも優れる商品吊下げ部１０とすることができる。
【００２３】
本発明の商品吊下げ用台紙の商品吊下げ部１０は、上記の基本的な構造を有していれば様々な形態をとることが可能である。その幾つかの例を図６乃至図８に示す。
【００２４】
図６に示した例は、押え片１２を形成するための切込み１８を、突起部１４を形成するための切込み１７に連続せずに設けたものであり、吊下げ片１１の幅に関係なく押え片１２の幅を自由に設計できるメリットがある。吊下げ片１１は、商品の荷重に耐えうる構造であれば必要最低限の幅があれば良いが、押え片１２の幅が狭過ぎると特に幅広の包装体（商品）では包装体上部の両端部が捲れ上がった状態になり易く、見栄え良く商品を陳列することができなくなる。したがって、幅広の包装体（商品）を吊下げる場合には、本例のような構造にすることが効果的である。
【００２５】
図７に示した例は、押え片１２を形成するための切込み１８を、突起部１４を形成するための切込み１７の上部において連続して設けたものであり、図６の例と同様、吊下げ片１１の幅に関係なく押え片１２の幅を自由に設計できると共に、図６の例よりも商品吊下げ部１０をコンパクトに形成できるメリットがある。その反面、図７中に斜線で示した凸状片７１廻りの強度が低下しやすい。
【００２６】
図８に示した例は、押え片１２の最下部を突起部１４の最下部よりも下になるように形成したものであり、特に商品２０の穴２１が商品の上端に極めて近い部分に形成されている場合であっても、商品の上端部を効果的に押さえることができ、より確実に商品を保持することができるメリットがある。
【００２７】
【発明の効果】
以上説明したように、本発明の商品吊下げ用台紙によれば、吊下げ片と押え片が完全に分離した構造を有するため、商品を取付けた状態において押え片に商品の荷重がかかららず、商品を取付けた際に押え片が浮き上がる心配が少なく、商品の上端部を効果的に押さえることができ、より確実に商品を保持することができる。また、押込み部を押し込むことで突起部が起き上がる構造を有しているため、商品の取り付け取り外しを比較的簡単に行うことができる。
【００２８】
また、特に、図１の例のように、押込み部を第１の切込みと山折り用罫線とで形成し、突起部を山折り用罫線に連続させた第２の切込みで形成し、押え片を第２の切込みに連続させた第３の切込みと突起部の上部に位置する谷折り用罫線とで形成したものにあっては、コンパクトで且つ強度的にも優れる商品吊下げ部を構成でき、商品の取り付け取り外しの繰り返し使用に対する信頼性が高いものとなる。
【図面の簡単な説明】
【図１】本発明の商品吊下げ用台紙の一例を示す表面全体図である。
【図２】本発明の商品吊下げ用台紙に形成した商品吊下げ部の一例を示す平面図である。
【図３】本発明の商品吊下げ用台紙に商品を取り付ける手順を説明するための商品吊下げ部の斜視図である。
【図４】本発明の商品吊下げ用台紙に商品を取付けた状態を台紙表面から見た部分拡大図である。
【図５】本発明の商品吊下げ用台紙に商品を取付けた状態を台紙裏面から見た部分拡大図である。
【図６】本発明の商品吊下げ用台紙に形成した商品吊下げ部の別の例を示す平面図である。
【図７】本発明の商品吊下げ用台紙に形成した商品吊下げ部の別の例を示す平面図である。
【図８】本発明の商品吊下げ用台紙に形成した商品吊下げ部の別の例を示す平面図である。
【図９】従来例の商品吊下げ用台紙を示す図である。
【符号の説明】
１  台紙
２  穴
１０  商品吊下げ部
１１  吊下げ片
１２  押え片
１３  押込み部
１４  突起部
１５  第１の切込み
１６  山折り用罫線
１７  第２の切込み（突起部を形成するための切込み）
１８  第３の切込み（押え片を形成するための切込み）
１９  谷折り用罫線
２０  商品（包装体）
２１  商品に設けられた吊下げ用の穴
７１  凸状片
【図１】
0004527831.tif 000002
【図２】
0004527831.tif 000003
【図３】
0004527831.tif 000004
【図４】
0004527831.tif 000005
【図５】
0004527831.tif 000006
【図６】
0004527831.tif 000007
【図７】
0004527831.tif 000008
【図８】
0004527831.tif 000009
【図９】
0004527831.tif 000010